(57)【要約】【課題】  本発明はＳｉ（ＯＲ）４（Ｒは炭素数１〜３のアルキル基を示す）で表される正珪酸アルキル（テトラアルコキシシラン）を加水分解することによって得られる正珪酸を含有する水溶液の安定化方法を提供することを目的とする。【解決手段】  水に次の一般式（１）  Ｓｉ（ＯＲ）４・・・・・・（１）    （式中、Ｒは炭素数１〜３のアルキル基を示す）で表される正珪酸アルキル（テトラアルコキシシラン）を添加し、酸性状態下、正珪酸アルキル（テトラアルコキシシラン）を加水分解することによって得られる正珪酸含有水溶液に炭素数１〜３のアルコールを添加することを特徴とする正珪酸含有水溶液の安定化方法。【選択図】なし【特許請求の範囲】
【請求項１】
水に次の一般式（１）
Ｓｉ（ＯＲ）４・・・・・・（１）
（式中、Ｒは炭素数１〜３のアルキル基を示す）
で表される正珪酸アルキル（テトラアルコキシシラン）を添加し、酸性状態下、正珪酸アルキル（テトラアルコキシシラン）を加水分解することによって得られる正珪酸含有水溶液に炭素数１〜３のアルコールを添加することを特徴とする正珪酸含有水溶液の安定化方法。
【発明の詳細な説明】
【技術分野】
【０００１】  本発明は正珪酸アルキル（テトラアルコキシシラン）を加水分解することによって得られる正珪酸含有水溶液の安定化方法を提供することにある。
【背景技術】
【０００２】  本発明者の一人は、水あるいは無機物及び／又は有機物を含有するする水溶液に一般式Ｓｉ（ＯＲ）４（Ｒは炭素数１〜３のアルキル基を示す）で表される正珪酸アルキル（テトラアルコキシシラン）を添加し、酸性状態下、正珪酸アルキル（テトラアルコキシシラン）を加水分解することによって正珪酸含有水溶液が得られることを見出した。当該正珪酸含有水溶液は、稲、小麦、イチゴ、トマト、キュウリ、ネギ、カボチャなどの様々な農作物や芝生などの根張り向上、耐病性の向上、品質向上、収量アップなどの目的で主として葉面散布方式で使用されている。そして、上記の作物等において散布する正珪酸の濃度が高いほど、根張りの向上、耐病性の向上、品質向上、収量アップなどの効果が顕著に現れることから、高濃度の正珪酸が望まれている。しかしながら、正珪酸濃度が高くなるにつれて正珪酸水溶液が増粘次いでゲル化する日が早まり、また、気温が高くなるにつれてその現象が促進されることから正珪酸濃度が２％以上の正珪酸含有水溶液の商品化は困難であるという問題点があった。
【先行技術文献】
【特許文献】
【０００３】
【特許文献１】特許第４４４９０３０号
【発明の概要】
【発明が解決しようとする課題】
【０００４】  本発明はＳｉ（ＯＲ）４（Ｒは炭素数１〜３のアルキル基を示す）で表される正珪酸アルキル（テトラアルコキシシラン）を加水分解することによって得られる正珪酸を含有する水溶液の安定化方法を提供することを目的とする。
【課題を解決するための手段】
【０００５】  本発明者らは上記課題を解決するべき鋭意研究を重ねた結果、水に一般式Ｓｉ（ＯＲ）４（Ｒは炭素数１〜３のアルキル基を示す）で表される正珪酸アルキル（テトラアルコキシシラン）を添加し、酸性状態下、正珪酸アルキル（テトラアルコキシシラン）を加水分解することによって得られる正珪酸を含有する水溶液に炭素数１〜３のアルコールを添加することによって、正珪酸の縮重合によって生じるゲル化が抑制され正珪酸水溶液の安定性が飛躍的に向上することを見出し、本発明を完成するに至った。
【発明の効果】
【０００６】  本発明によって、従来品より珪酸供給量を増加させるこができることから植物の珪酸含有量が顕著に高くなり光合成能力、耐病性が向上する。特に本発明品は、代表的な珪酸植物である水稲に対しては珪酸吸収量が増加することにより倒伏抵抗性や耐病性、品質が向上する。
【発明を実施するための形態】
【０００７】  以下、本発明の正珪酸を含有する水溶液の安定化方法について詳しく述べる。
【０００８】  本発明において使用される正珪酸アルキル（テトラアルコキシシラン）は正珪酸メチル（テトラメトキシシラン）、正珪酸エチル（テトラエトキシシラン）、又は正珪酸プロポキシ（テラプロポキシシラン）あるいはこれらの混合物であり、例えば多摩化学工業株式会社から販売されている正珪酸エチル（テトラエトキシシラン）を適用することができる。
【０００９】  本発明において使用されるアルコールとしてはメタノール、エタノール、プロパノール、イソプロパノール、変性アルコールであり、例えば変性アルコールとして日本アルコール販売株式会社から販売されているエキネンＦ−１を適用することができる。
【００１０】  本発明において正珪酸含有水溶液を得るには先ず、水にリン酸、硫酸、硝酸、ヒドロキシ酢酸、乳酸、酢酸、クエン酸、グルコン酸などの一種類または二種類以上の酸を添加してｐＨを１〜４の範囲に調整する。ｐＨが４以上では正珪酸アルキルの加水分解が緩慢となるので好ましない。次に正珪酸アルキル（テトラアルコキシシラン）を添加し４０〜８０℃で１〜２時間攪拌することによって正珪酸アルキル（テトラアルコキシシラン）の加水分解が起こり、正珪酸含有水溶液が得られる。正珪酸アルキル（テトラアルコキシシラン）の使用量は水に対して４〜１５重量％の範囲である。
【００１１】  本発明では次にアルコールを添加する。アルコールの添加量は正珪酸含有水溶液に対して５〜５０重量％好ましくは１０〜４０重量％の範囲である。５重量％以下では正珪酸の安定性即ち正珪酸が縮重合することによって生じるゲル化防止に効果が少なく、また、５０重量％以上ではコストの面で好ましくない。
【実施例１】
【００１２】  以下、実施例を示すことによって本発明を詳細に説明するが、本発明はこれらに何ら限定されるものではない。【００１３】  水３７５ｇに８５％リン酸６ｇと多摩化学工業株式会社製正珪酸エチル（テトラエトキシシラン）３７．５ｇを添加し５０〜６０℃で１時間、攪拌することによって４．１％濃度の正珪酸（Ｓｉ（ＯＨ）４）を含有する正珪酸含有水溶液を得た。この水溶液を、それぞれ８３．７ｇを採取しこれに表１に示したアルコール濃度に準じて日本アルコール販売株式会社製変性アルコール（商品名エキネンＦ−１）と水を添加して３．４％濃度の正珪酸（Ｓｉ（ＯＨ）４）を含有する水溶液を調整し平成２７年８月１５日より室温に放置しゲル化の有無を調べることによってアルコール添加による正珪酸の安定性効果を調べた。
【表１】
2018111641.tif 000002
表２に示したように対照区と比較してアルコール添加によって正珪酸の安定性が著しく向上することが判る。また、アルコール濃度が高いほど正珪酸の安定性に寄与することも判る。
【表２】
2018111641.tif 000003
【実施例２】
【００１４】  水６，０５８ｇに８５％リン酸１２６ｇと実施例１と同様の正珪酸エチル（テトラエトキシシラン）１，１６６ｇを添加し５０〜６０℃で１時間、攪拌することによって７．３％濃度の正珪酸（Ｓｉ（ＯＨ）４）を含有する正珪酸含有水溶液を得た。この水溶液７００ｇに実施例１と同様の変性アルコール（商品名エキネンＦ−１）３００ｇを添加しアルコール濃度３０％、正珪酸濃度５．１％の水溶液を調製した。また、対照区として上記７．３％濃度の正珪酸（Ｓｉ（ＯＨ）４）を含有する正珪酸含有水溶液７００ｇに水３００ｇを添加し正珪酸濃度  ５．１  ％の水溶液を調製した。これらのアルコール濃度３０％と対照区の正珪酸水溶液を平成２８年５月３１日より室温にて放置しゲル化の有無を調べることによってアルコール添加による正珪酸の安定性効果を調べた。その結果アルコールを添加していない対照区は１ヶ月放置でゲル化が見られたがアルコール濃度３０％のものは６ヶ月経過してもゲル化は見られず春から秋にかけて高い期間でも安定であり実用上問題ないことが判った。